(57)【要約】ウェブページを分類しそれらのコンテンツを整理する方法は、複数のインターネットアドレスの複数の自動記録の工程を実行を含む、複数のインターネットアドレスの記録ステップと、上記複数のインターネットアドレスに対応する適切な値を設定するための選択ステップとを含む。選択ステップは、対応する適切な値を複数のインターネットアドレスでのヒットに比例する適切な値に設定し、所定のしきい値より大きい適切な値をもつインターネットアドレスを選択する。上記方法は、しきい値より大きい適切な値をもつインターネットアドレスから開始し、インターネットアドレスを、１または複数の不可欠な条件に合うインターネットアドレスにする減少ステップと、不可欠な条件に合う前記インターネットアドレスのサブセットを有効にする有効ステップであって、有効ステップはヒューマンアクションを含むものと、をさらに含む。
2010514026.tif 000002
【特許請求の範囲】
【請求項１】
ウェブページを分類し対応するそのタイプのコンテンツを整理するための方法であって、
所定の数のインターネットアドレスの記録ステップであって、複数のインターネットアドレスの複数の自動記録の工程の実行を含む、記録ステップと、
前記複数のインターネットアドレスの対応する適切な値を選択し設定するステップと、を含み、
選択ステップは、前記対応する適切な値を前記記録ステップにおけるその記録に比例する適切な値にし、
前記方法は、
前記しきい値より大きい適切な値をもつ前記インターネットアドレスのなかから、前記インターネットアドレスを、１または複数の不可欠な条件に合うインターネットアドレスにする減少ステップと、
不可欠な条件に合う前記インターネットアドレスのサブセットを有効にする有効ステップであって、前記有効ステップはヒューマンアクションを含む、有効ステップと、をさらに含む方法。
【請求項２】
分類ステップは、複数の主題のエリアを定義し、それらに関連する複数のエリアキーワードを定義するための構成ステップを含む請求項１に記載の分類方法。
【請求項３】
前記構成ステップは、前記各主題のエリアのため、複数の見出語を定義することを含む請求項２に記載の分類方法。
【請求項４】
前記構成ステップは、１つの前記見出語と、１または複数の前記主題のエリアとを関連付けることを含む請求項３に記載の分類方法。
【請求項５】
前記構成ステップは、前記見出語と前記エリアキーワードから、前記主題のエリアの前記定義のために、メインの言語を定義することを含む請求項４に記載の分類方法。
【請求項６】
前記構成ステップは、前記所定の数のインターネットアドレスを設定することを含む請求項５に記載の分類方法。
【請求項７】
前記構成ステップは、前記見出語と前記ウェブページとを関連付けるステップを含む請求項６に記載の分類方法。
【請求項８】
関連付けステップは、前記ウェブページにおける前記見出語を識別することを含む請求項７に記載の分類方法。
【請求項９】
前記記録ステップは、第１の情報レイヤにおいて、前記見出語を参照して前記インターネットアドレスを格納することを含む請求項８に記載の分類方法。
【請求項１０】
前記記録ステップは、前記第１の情報レイヤにおいて前記ウェブページのコピーを格納することを含む請求項９に記載の分類方法。
【請求項１１】
前記不可欠な条件は、前記許可された言語を含まない複数のウェブページを削除することを含む請求項１０に記載の分類方法。
【請求項１２】
前記不可欠な条件は、同一のドメインから得られる複数のウェブページを削除することを含む請求項１１に記載の分類方法。
【請求項１３】
前記削除ステップは、複数の選択されたクエリーを実行することを含む請求項１２に記載の分類方法。
【請求項１４】
前記有効ステップは、有効インターフェースを実行することを含む請求項１３に記載の分類方法。
【請求項１５】
前記有効インターフェースは、前記減少ステップにより減少される前記インターネットアドレスをリストアップすることを含む請求項１４に記載の分類方法。
【請求項１６】
前記記録ステップは、少なくとも１のスパイダリング工程を実行することを含む請求項１５に記載の分類方法。
【請求項１７】
前記記録ステップは、少なくとも１のメタ検索エンジン機能を実行することを含む請求項１６に記載の分類方法。
【請求項１８】
検索条件に合う複数のインターネットアドレスを識別するための識別のスクリプトまたはプログラムを実行するための方法であって、
前記複数のインターネットアドレスは、先行する請求項１から１７までの１項による分類方法によって分類され、前記インターネットアドレスは、所定のしきい値より大きい所定の値を有する方法。
【発明の詳細な説明】
【技術分野】
【０００１】
本発明は、ウェブページを分類し、そのタイプのコンテンツを整理する方法であって、複数の自動記録の工程を含む、複数のインターネットアドレスを記録するステップと、対応する適切な値を複数のインターネットアドレスに設定する選択ステップとを含む方法に関する。
【背景技術】
【０００２】
知られているように、パーソナルコンピュータはインターネットに接続し、ウェブページを表示するブラウザを備えている。
特にパーソナルコンピュータとの用語は、ネットワーク接続のインターフェースを備える電子デバイスを示すが、一方、ブラウザとの用語においては、それ自体が知られているソフトウェアが、ウェブページを表示するそのような電子デバイス上にインストールされているものをいう。このようなブラウザの1つの例として、マイクロソフト（Ｒ）社のインターネットエクスポーラプログラムがある。
【０００３】
さらに特に、ウェブページが複数のサーバに格納され、インターネットのネットワークに接続される。ウェブページのインターネットアドレスは、ブラウザ、例えばブラウザの上部またはブラウザのバーを通じて特定され、そのようなインターネットアドレスが、一般的にはブラウザの主要部に、対応するウェブページの表示に指定される。
【０００４】
また、識別のスクリプトまたは1あるいは複数のウェブページのプログラムも、ユーザによって設定された検索条件に基づいて機能する。
このような識別のスクリプトまたはプログラムは、一般的にグラフィックインターフェースの手段、例えば、検索条件の挿入部分と、識別のスクリプトまたはプログラムの機能ボタンとを備えるブラウザで描画することができるものでアクセスされる。インターネット上で利用可能なウェブページの数が多くなると、識別のスクリプトまたはプログラムは、所定の検索条件のために多くのウェブページを提供する。
【０００５】
こうしたウェブページの効果的な利用に導くためには、識別のスクリプトまたはプログラムは、各ウェブページに対応する重要性を付与する分類方法によってサポートされる。言い換えれば、識別のスクリプトまたはプログラムの実行は、分類方法によって設定される重要値によって指令され、ウェブページのリストをユーザに提供する。
【０００６】
１つ知られている分類方法は、ページランク（PageRank）の共通用語で示され、ウェブページにランクとしての重要値でウェブページを連携させる。特に、ウェブページＡのランクは、このようなウェブページＡへ参照する追加のウェブページＢｌ、・・・、Ｂｘ、すなわち、ウェブページＡへのポインタをもつウェブページの数によって決定される。
【０００７】
さらに特に、ページランクとして知られる分類方法によれば、各ウェブページは、ポインタを通じて他のウェブページに関する投票を表現することができる。また、コネクション（connections）としても知られている。言い換えれば、最初のウェブページで利用可能なコネクションを通じて、ユーザは、ウェブページのランクを上げながら、１または複数の接続先のウェブページに接続することができる。一般的には、ウェブページの人気、すなわちウェブページへのコネクションの数が高くなれば、その同じページが表現できる票の価値は高くなる。
【０００８】
上述したタイプの分類方法は、それでもやはり様々な制限があるが、それは次の説明から明らかになる。
図１を参照すると、インターフェース１０は、識別のスクリプトまたはウェブページのプログラムの実行が検討されている。
【０００９】
インターフェース１０は、例えば、識別のスクリプトを実行するための、検索条件の挿入バーまたは一部１と実行ボタン２とを有するウェブページである。
一例として、図１では、検索条件は、イタリアの発明者で芸術家でもあるレオナルド・ダ・ヴィンチに関するウェブページを識別するために設定される。この単純な例では、検索条件は、インターフェース１０の挿入バー１で特定された３つのキーワード「レオナルド」、「ダ」および「ヴィンチ」の関連付けによって与えられる。
【００１０】
そのような場合、インターフェース１０のメイン部４は、検索条件「レオナルド・ダ・ヴィンチ」に基づいて実行された後、識別のスクリプトまたはプログラムの結果を表示する。その検索結果は、最初のヒット３ａ−３ｈだけが表示されるそのようなメイン部４のウェブページのインターネットアドレスのリスト３を含む。
【００１１】
実際には、非常に高く識別されるウェブページの数、数百万のウェブページの順序で特定された例では、識別のスクリプトまたはプログラムは、表示される次のページにおけるグラフィカルインターフェース１０の内側でグループ化を提供する。一般的には、１からｎまでの連続する数は、それ自体、従来の図で表されていないが、メイン部４で、ユーザのリクエストに基づき特定のページおよびインターネットアドレスのリスト３を表示するよう例えばインターフェース１０の下部で利用される。
【００１２】
例えば、百のインターネットアドレスのリスト３に対応して、識別のスクリプトおよびプログラムが百のウェブページを識別すると仮定し、また各表示ページがそのような識別されたウェブページの十のアドレスを含むと仮定すると、インターフェース１０の下部は、一から十までの数字を表示することになる。そのような態様では、メイン部４の内側で、下位の部分にある数字一の選択は、メイン部４の内側で、一から十までのインターネットアドレス、すなわち、ウェブページのうちの最初のウェブページのリスト３の表示を許容することとなる。特に、現在の識別のスクリプトまたはプログラムにおいて、ウェブページのリスト３のインターネットアドレスは、対応する分類方法によって識別されるように、重要性の低い順に対応して連続して位置し、これによって、リスト３のページの１つの選択は、そのような分類方法によって最も重要に分類されたウェブページに対応する。
【００１３】
数字二の選択は、インターフェース１０の同じメイン部４にある十一から二十までのインターネットアドレスの表示を可能にする。そのようなインターネットアドレスは、ウェブページリスト３の第２番目のページに対応する。下部にある数字十の選択は、識別のスクリプトまたはプログラムによって使用される分類方法に従って常に、少なくとも関連性のあるウェブページと関連して、リスト３の最後のページを参照する。
【００１４】
言い換えれば、検索結果の表示順序は、分類方法による。
さらに特に、図１を参照すると、ウェブページ３ａは、グーグル（Ｒ）プログラムで使用される分類方法によって識別されるすべてのウェブページの間で最も重要なものであるが、そのような図１の例として使用され、発明者であり芸術家でもあるレオナルド・ダ・ヴィンチの定義を提供するウィキペディアと呼ばれるインターネットサービスに言及している。
【００１５】
ウェブページ３ｂは、発明者であり芸術家でもあるレオナルド・ダ・ヴィンチによって人間性が遺された伝来のものを表現するウェブページに言及している。ウェブページ３ｃは、国立科学技術博物館に言及している。ウェブページ３ｅは、ローマ空港「レオナルド・ダ・ヴィンチ」に言及している。
【００１６】
重要度の順に最初の５つのヒットを表すグーグルプログラムの上述のリストの結果から、ページランクに基づく分類方法は次の制限をもつことが推定される。
識別のスクリプトまたはプログラムによって提供されるウェブページの数は、冗長化している。この場合、最初のページ、良好な３つのページ、特にページ３ｄ、３ｅおよび３ｈは、冗長化している。すなわち、それらは、以前表示された同じサイトの内側にあるインターネットアドレス、インターネットアドレス３ｃ、３ｅおよび３ｇをそれぞれ繰り返している。さらに、ユーザは、一般的には、分類方法によって提供された数十以上の結果を読まない。結果はむしろ包括的な検索条件のためにもよく得る。
【００１７】
識別のスクリプトまたはプログラムによって提供されるウェブページのなかには、ユーザによって検索される情報に関してあまりあるいはまったく適切でないものがあるが、それらは依然として過度に高い順位になる。ウェブページ３ｅについて検討する。「レオナルド・ダ・ヴィンチ」空港に興味をもっているユーザが、「空港」を特定せずに、検索条件「レオナルド・ダ・ヴィンチ」として入力すると考えるのは難しい。それにもかかわらず、突然、ローマ空港に言及するウェブページが、グーグルプログラムの結果の５番目のヒットとして発見される。ウェブページ３ｅは、情報ノイズによる影響を受けた典型的な結果例を構成するが、それは冗長だけでなく実行された検索目的に適さないものなので、したがって非常に望ましくない。１つのそのような結果、すなわち検索条件「レオナルド・ダ・ヴィンチ」を設定することにより得られる結果のウェブページのリスト３の高いランクにあるローマ空港の住所の存在は、現在の利用可能な検索条件またはプログラムの多くをしようすることによって得られる。
したがって、ページランクに基づく分類方法は、ウェブページの自動構成の提供により、ユーザは、ユーザに最も適切な結果に制限された数の減少した結果に集中することができない。
【００１８】
知られている分類方法のもう一つの欠点は、実行後、識別のスプリクトまたはプログラムは、見つけられたウェブページの数として、識別され、ユーザに効果的に利用可能な現実のウェブページの数に対応しない数を報告するという事実がある。
【００１９】
例えば、図１ａを参照すると、識別のスクリプトまたはプログラムによって利用可能になるウェブページの数は、検索条件「レオナルド・ダ・ヴィンチ」の結果として、３，８８０，０００あるが、最初の１０００のウェブページのみを効果的に利用可能とすることが実践で検証するのは簡単である。さらに詳細には、図１ｂは、識別されたわずか１０００の結果がユーザに利用可能と報告された周知の識別のプログラムによって生じたエラーメッセージを示している。このように、ユーザは、検索条件の結果に関連する実質上無限のウェブページ量をもつと信じており、特にユーザは最初にある高いランクのウェブページで関心のあるコンテンツが見つからなければ、いくつかのウェブページの開設によって落胆するので、利用可能と宣言されるウェブページの数は、ささいなものである。
【００２０】
さらに今後は、上述のウェブページの分類方法には、実質的な情報源の信頼性、検索条件の設定に関する情報源の評判、認知度、真実性の意図に関連する問題がある。言い換えれば、発明者であり芸術家でもあるレオナルド・ダ・ヴィンチに効果的に相関性があるウェブページは高いランクにあるが、不正確な情報、例えば、彼の誕生日、または、いくつかの最も有名な作品あるいは彼の人生と作品に関する他の基本的なものなどの重要なコンテンツを欠くものに関する莫大な情報は、検索条件「レオナルド・ダ・ヴィンチ」を設定したユーザの興味を論理的にひくだろう。
【００２１】
このように、ランクの高いウェブページは、個人のユーザによって作られたページ３ｂの場合のように、十分な情報源の信頼性がなく、正式な情報源ではないが、適切になる。
逆に、発明者であるレオナルド・ダ・ヴィンチに相関性があるウェブページは、ユーザの関心のある情報の識別を鈍くする、厳密には相関性がなく実質的に過剰な複数の情報、関連性の低い情報の典型例を含む。実質上、現在の利用可能なウェブページの分類方法により、識別のスクリプトまたはプログラムは、結果として、関連があり、予想し、絞り込まれたウェブページのリストではなく、むしろ、ユーザによる検索条件にかなり制限された関係をもつ複数の情報を収集するものとして実行する検索を行うこととなる。
【００２２】
そのような方法では、周知の分類方法は、識別のスクリプトまたはプログラムにより提供されるすべてのウェブページ、相当重要なウェブページを失う危険性を伴って関心のあるウェブページだけのなかから、実質的に識別を目的とする非常に困難な絞り込みと選択操作を行うことをユーザに義務づける。
【００２３】
本発明を解決する技術的な問題は、検索結果を絞るためにユーザに使用される時間を減少すると同時に従来の技術によるウェブページの分類方法になおも影響を与える制限を解決しつつ、ウェブページの繰り返しのための冗長がなく、それらのコンテンツを信頼できる、ユーザによる検索条件に関して、識別のスクリプトまたはプログラムに適切な情報ノイズがない結果を提供することを許可するウェブページの分類方法を提案するものである。
【発明の概要】
【００２４】
発明の背景
本発明に内在する解決思想は、決定可能な対応するコンテンツの分類と整理をする方法を提供するものであり、主題のエリアと見出語のためのウェブの構成から開始し、適切であるとみられるウェブページの設定、異なる検索エンジンと直接的なスパイダリングアクション(Spidering actions)の両方の情報源として使用することが可能である。
【００２５】
スパイダリングアクションは、ウェブの構成ステップで信頼されているサイトのほうで実行される。
ウェブページのこの設定に基づいて、選択は、例えば、同じウェブページの異なる翻訳、または１つの同じインターネットアドレスが何度も繰り返されることに関連して、冗長のウェブページを削除し、人の貢献を通じて誤ったウェブページ、すなわち情報ノイズを含むおよび／またはあまり信頼されていない情報源からに基づくものを削除する。
【００２６】
そのような解決思想によれば、本発明による、ウェブページを分類し対応するコンテンツを整理するための方法は、複数のインターネットアドレスの複数の自動記録の工程の実行を含む、インターネットアドレスの所定の数を記録するステップと、複数のインターネットアドレスに対応する適切な値を選択し設定するステップとを含み、上記選択ステップは、記録ステップにおけるその記録に比例する適切な値に対応する適切な値を設定し、所定のしきい値より大きい適切な値をもつインターネットアドレスを選択し、上記方法は、上記しきい値より大きい適切な値をもつインターネットアドレスのなかから、上記インターネットアドレスを、１または複数の不可欠な条件をもつインターネットアドレスにする減少ステップと、不可欠な条件に応答するインターネットアドレスのサブセットを有効にする有効ステップであって、上記有効ステップはヒューマンアクション(Human action)を含む、有効ステップとをさらに含む。
【００２７】
好ましくは、本発明のウェブページの分類方法によれば、識別のスクリプトまたはプログラムは、ウェブページのコンテンツのためのウェブページの繰り返しと信頼の点で冗長せず、検索結果をフィルタ（filter）するためにユーザに使用される時間を大幅に減らすことが可能となる。
【００２８】
分類方法のさらなる特徴と利点
本発明によれば、図面を参照して示され制限のない次の実施例の詳細からより明らかになる。
【図面の簡単な説明】
【００２９】
【図１】従来の技術による識別のスクリプトまたはプログラムのためのグラフィカルインターフェースを示している。
【図１ａ】図１の識別のスクリプトまたはプログラムで検出されるウェブページの数。
【図１ｂ】図１の識別のスクリプトまたはプログラムにより報告されるエラーメッセージを示している。
【図２】本発明の分類方法による識別のスクリプトまたはプログラムのためのグラフィカルインターフェースを示している。
【図３】本発明のコンテンツの整理を図式的に示している。
【図４】本発明の所定の検索条件で実行後にコンテンツの整理を広範囲の記述で示している。
【発明を実施するための形態】
【００３０】
詳細な説明
図面を参照すると、本発明は複数のステップを含むウェブページの分類方法を記述する。
特に、上記方法は、ウェブページの分類のための主題のエリアの定義を提供する第１の構成ステップを含む。
一例として、主題の知識、例えば、技術、芸術、文学、スポーツ、最近の出来事の一部を意図する主題のエリアによって、本発明の保護の範囲は減少されず、そのような知識の一部の詳細の語の設定によって定義される。
【００３１】
上記構成ステップは、各主題のエリアのための複数の見出語の定義を含む。
本発明の範囲を制限せずに明確性だけで、見出語(lemma)の用語は、補題（headwords）と言語学における形態素解析の抽象ユニットの他の形態を示すために使用され、各抽象ユニットは、同じ単語の別の形式である単語のセットにおよそ対応する。
【００３２】
例えば、「ｒｕｎ」、「ｒｕｎｓ」、「ｒａｎ」、および「ｒｕｎｎｉｎｇ」は、慣習上またはＲＵＮとしての記載は標準的に、英語の言語では同じ抽象ユニットの形式である。抽象ユニットＲＵＮは、抽象ユニットＲＵＮに関連する複数の抽象ユニットを含む見出語Ｘからなる。
さらに、各主題のエリアは、対応する主題のエリアに属する多数のキーワードに関連し、そのいくつかは、単一の見出語に関連する。１つの見出語は、対応する主題のエリアに属する複数のキーワードに関連している。
【００３３】
例えば、上記構成ステップでは、検索条件「レオナルド・ダ・ヴィンチ」は、主題のエリア「芸術」に属する単語、エリアのキーワードの「絵画」、「ルネッサンス」、「彫刻」が関連している見出語として構成されている。そのエントリ「レオナルド・ダ・ヴィンチ」は、主題のエリア「エンジニア」に属するエリアキーワード「運河」、「水力学」のにも関連している。
さらには特に、メインの言語は、主題のエリア、見出語およびそれに相関するエリアキーワードの条件、例えばイタリア語のために構成ステップにおいても定義される。
また、上記構成ステップでは、複数の許可された言語は、例えば、同じアルファベットで区別され、また下記で説明されるように減少ステップにおいて用いられる。
【００３４】
メインの言語および許容された言語は、その言語で単純にかつ複雑に検索を実行することを可能とし、また別の言語でウェブページを獲得する。言い換えれば、本発明の見出語の分類方法による結果、見出語「レオナルド・ダ・ヴィンチ」を設定することは、見出語「レオナルド・ダ・ヴィンチ」を含むイタリア語のウェブページだけでなく、構成ステップで許容される言語のページを識別することを可能とする。
【００３５】
そして、本発明による分類は、構成ステップで定義される主題のエリアおよび対応する見出語に基づいて、ウェブページのインターネットアドレスの所定の数を格納するための記録ステップを含む。ウェブページのそのような所定の数のインターネットアドレスは、構成ステップで構成されることができる。
【００３６】
特に、記録ステップは、例えばウェブページ中にある識別によって、１または複数の見出語とウェブとの関連性を決定する。１の見出語と関連するウェブページに関しては、そのインターネットアドレスは格納される。
【００３７】
さらに特に、記録ステップの実行は、複数の自動工程、例えばスパイダリング工程を含むことによって行われる。
特定の見出語と関連するウェブページｘから開始するそのようなスパイダリング工程は、そのようなウェブｘページに直接接続されるウェブページｚｌ、、、ｚｎのインターネットアドレスを記録する。スパイダリング工程は、ウェブページｚｌ、、、ｚｎによって、ウェブページｘが間接的に接続されるウェブページｙｌ、、、ｙｎのインターネットアドレスを記録することも可能である。
【００３８】
好ましくは、スパイダリング工程は、ウェブページ、すなわちウェブページｘから直接到達可能なウェブページの１つの記録を直接実行するため、または上述の記録を間接的に実行するために構成することが可能である。
【００３９】
そして、記録ステップは、特定の見出語に関して、コンテンツが分類方法のための情報レイヤを示すデータベースのなかでインターネットアドレスを記録することを提供する。特に、情報レイヤの適切性、冗長性、信頼性および情報ノイズは、本発明の分類方法に従って最適化し、次の説明から明かになるだろう。
【００４０】
本発明の方法は、ウェブページだけでなく、実質的にはソーシャルネットワークサービスも分類して整理することを提供することに注意する価値がある。
さらに詳細には、用語「ソーシャルネットワークサービス」は、他人の関心や活動を探索するのに興味がある人々のオンラインコミュニティの間で関心や活動を共有するためのサービスに基づくインターネットを識別するために使用される。
【００４１】
ほとんどのソーシャルネットワークサービスは、主にウェブベースで、チャット、メッセージ、電子メール、ビデオ、音声チャット、ファイルの共有、ブログ、ディスカッショングループなどのインタラクトのユーザのための様々な方法のコレクションを提供する。ソーシャルネットワークサービスの主なタイプは、いくつかのカテゴリーのディレクトリを含むもので、友人と接続することを意味する。
【００４２】
本発明の方法による記録ステップは、構成ステップで定義される主題のエリアおよび見出語に基づいて、ウェブページだけでなく、ソーシャルネットワークサービスの所定の数も格納し、各ソーシャルネットワークサービスのために、１または複数の見出語と関連を決定することを提供する。どの場合でも、１の見出語と関連するどのソーシャルネットワークサービスに関して、そのインターネットアドレスは格納される。言い換えれば、見出語および主題のエリアの定義は、所定の検索条件で、自由なノイズがあり適切であるが、冗長でなく信頼性がないウェブページとソーシャルネットワークサービスの両方の収集を引用する分類および整理を実行することを提供する。
【００４３】
例えば、検索条件として、単語「子供」を考えると、本発明の分類と記録のステップが単語「子供」が属するところにある抽象ユニットを含む見出語と関連して、複数のウェブページとソーシャルネットワークサービスを提供する一方、周知技術の識別のスクリプトまたはプログラムが単語「子供」を含む数の大きいドキュメントの識別を制限する。
上述の例を参照すると、単語「子供」だけでなく「子供たち」のような単語を含むウェブページとソーシャルネットワークサービスは、本発明の方法にしたがって、「少年」と類似して分類され整理される。
【００４４】
明確にするため、記録ステップから得られる情報レイヤまたは情報のリポジトリ(repository)は、第１の情報レイヤとして下記に示される。
特に、記録ステップは、例えば、メタ検索エンジン機能を含む他の自動工程の実行を含む。知られているように、そのような機能は、独自の分類方法にしたがってウェブページを分類する異なる検索エンジンの協議によって、見出語に属する複数のウェブページの識別を提供する。
言い換えれば、メタ検索エンジン機能は、独自の分類にしたがって、そのような検索エンジンによってすでに蓄積された特定の見出語を含む複数のウェブページを決定するために複数の検索エンジンに問い合わせる。
【００４５】
メタ検索エンジン機能によって識別されたウェブページのインターネットアドレスは、第１の情報レイヤまたはリポジトリで挿入される。
さらに、第１の情報レイヤにおいて、記録ステップは、ウェブページのコピーを記録する。そのようなコピーは、第１の情報レイヤの中にあるウェブページ自体の更新を可能にするよう連続的にスパイダリングアクションすることによって識別され、その連続的なバージョンと比較するため両方使用される。
【００４６】
本発明によれば、分類方法は、記録ステップで自動工程によって記録されるインターネットアドレスの比較を実行する選択ステップをさらに含む。
特に、ある見出語のために、スパイダリング工程によって記録されたインターネットアドレスは、メタ検索エンジン機能によって記録されたインターネットアドレスと比較される。もし、インターネットアドレスがスパイダリング工程または構成ステップとメタ検索エンジン機能とによって識別されれば、それはそのような選択ステップで確認される。実際、異なる検索エンジンの存在と構成ステップでの識別は、特定の見出語を参照して、そのコンテンツの適切性の高い可能性が示される。
【００４７】
記録ステップは、好ましくは、構成ステップでまたはメタ検索エンジンで、スパイダリングステップに基づいて必要ではなく、自動工程の異なるタイプを含む。すべての自動工程で実行される記録に基づいて、選択ステップは、統計値のマッチング、すなわち、自動工程による記録の頻度で増加する推定の適切性および信頼性の値に対処するインターネットを指定することを実行して、識別されたインターネットアドレスの比較を実行する。本発明の選択ステップによれば、第１の情報レイヤは、第２の情報レイヤ、または、事前に設定されたしきい値を越える適切性および信頼性の値をもつインターネットアドレスを含むリポジトリを形成するために定義される。第２の情報レイヤは、例えば、区分けされたデータベースの上部または中で記述されたデータベースに含まれる。
【００４８】
第２の情報のデータベースは、たとえそれが推定の高い適切性の値をもつインターネットアドレスを含んでいても、潜在的に冗長のコンテンツを表す。実際、選択中に指定された推定の高い適切性の値によって、同じウェブページ、例えば異なる言語に翻訳されたいくつかのウェブページ、または更新されていないがまだ同じウェブページが公開されたバージョン、または異なるドメインに属するウェブページで格納された同じ情報のコンテンツに言及する。
【００４９】
第２の情報のリポジトリのコンテンツを改善するために、本発明による分類方法は、選択ステップ中に確認されるインターネットアドレスの減少ステップを含む。
そのような減少ステップでは、第２の情報レイヤのインターネットアドレスによって移動されるどのウェブページも不可欠な条件を遵守する。
【００５０】
そのような不可欠な条件は、例えば、許容される言語に対応しないすべてのウェブページまたはソーシャルネットワークを削除し、構成ステップで設定することを提供する。さらに、不可欠な条件は、そのメインのページに代えて報告し、識別可能なドメインまたは主題のエリアから同じ見出語がくるウェブページの削除を含む。
【００５１】
減少ステップは、不可欠な条件の現実を検証することによって、第３番目の対応するインターネットアドレス、さらには洗練された情報レイヤまたはリポジトリの存在を確立する。好ましくは、識別のスクリプトまたはプログラムは、第３の情報レイヤまたはウェブページあるいは実質的には冗長度を削除した高い適切性をもつソーシャルネットワークサービスを識別することが可能となる。
【００５２】
識別のスクリプトまたはプログラムは、最後の選択で百万のインターネットアドレスを識別する従来の技術による分類方法によって支持される一方、目的を実証して制限をなくすために、「レオナルド・ダ・ヴィンチ」の検索条件に基づく識別のスクリプトまたはプログラムは、本発明の分類方法によって支持されているが、高い推定の適切性で実質的に冗長のないこのステップですでに対処するいくつかのインターネットアドレスを決定することが可能である。
【００５３】
本発明によれば、第３の情報レイヤでさらなる検証ステップは、実質的には情報ノイズを欠く高い信頼性があるウェブページに言及する単一のインターネットアドレスを決定する方向に提供される。
【００５４】
そのような検証ステップは、第３の情報レイヤのインターネットアドレスまたはソーシャルネットワークサービスをリスト化する検証インターフェースの実行を含む。さらに特に、検証インターフェースは、前の記録、選択、および削除ステップですでに指定された推定の適切性の値にしたがい、そのようなインターネットアドレスの順序を提案する。
【００５５】
検証インターフェースだけれど、特定の見出語に関し、特定のオペレータは、インターネットアドレスと関連しかつ適切性を検証するウェブページまたはソーシャルネットワークサービスを分析する。さらに詳細には、オペレータは、グラフィカルインターフェースを通じ、また自動比較工程と結果を示すことと低くあるいはゼロの信頼性をもつインターネットアドレスで、不作法で望んでない、例えば「レオナルド・ダ・ヴィンチ」空港に言及するインターネットアドレスが第４の情報レイヤで挿入されるのを防ぐものを削除する。
【００５６】
本発明によれば、特定の機能、例えば、検証のためのチェックボックスは、上述した検証ステップを実行するための最後のユーザに提示される。最後のユーザは、ウェブページまたはソーシャルネットワークサービスを分析し、考えられたさらなる適切性を検証する。これは、それぞれの分野を専門にする最後のユーザがウェブページおよびソーシャルネットワークサービスに関する検証をし、情報レイヤまたはリポジトリの展開と洗練に貢献し得るので、特別なオペレータによって検証操作の段階でのさらなる改良である。
【００５７】
第１の好ましい実施例によると、最後のユーザによって検証されたウェブページとソーシャルネットワークサービスのセットは、特別なオペレータによって検証されたウェブページとソーシャルネットワークサービスのセットと異なっても、それらは、それぞれの結果を報告するインターフェースの分離したリストにリスト化される。
【００５８】
第２の実施例によると、第３の情報レイヤのウェブページとソーシャルネットワークサービスは、最後のユーザと特別なオペレータの両者で検証される。
好ましくは、人の貢献は、第３の情報レイヤのインターネットアドレスの手動の選択による、第４の情報レイヤの定義を必要とする。したがって、本発明の分類方法によれば、ウェブページの分類は、少なくとも次のステップを含む。
Ａ）複数のインターネットアドレスの複数の自動記録の工程の実行を含む、インターネットアドレスの所定の数の記録ステップ
Ｂ）複数のインターネットアドレスの対応する適切性の値を設定するための選択ステップであって、そのような選択ステップは、上記記録ステップでのその記録に比例して対応する推定の適切性の値を設定し、所定のしきい値より大きい所定の値をもつインターネットアドレスを選択する。
Ｃ）しきい値より大きい適切性の値をもつインターネットアドレスのなかから、１または複数の不可欠な条件に合わないインターネットアドレスを削除する削除ステップ
Ｄ）不可欠な条件に合うインターネットアドレスのサブセットを有効にするための有効ステップ。そのような有効ステップは、ユーザによって実行される手動アクションを含む。
【００５９】
例えば、検索条件「レオナルド・ダ・ヴィンチ」で、本発明による識別のスクリプトまたはプログラムは、図２に示すように、数十のインターネットアドレスを決定することが可能となる。
特に、図２は、インターフェース１０１、例えば、検索条件の挿入バーまたは部分１１と、識別のスクリプトあるいはプログラムの実行のための実行ボタン２１とを含むウェブページで描画できるウェブページの識別のスクリプトまたはプログラムを示している。
【００６０】
図２では、検索条件は、イタリアの発明者であり芸術家のレオナルド・ダ・ヴィンチに関するウェブページの識別のために設定される。
インターフェース１０１のメイン部４１は、検索条件「レオナルド・ダ・ヴィンチ」に基づく実行後、識別のスクリプトまたはプログラムの結果を表示する。特に、検索結果は、最初のヒット３ａｌ−３ｃｌだけが表示されるウェブページのインターネットアドレスのリスト３１を含む。
【００６１】
好ましくは、識別のスクリプトまたはプログラムは、まさに適切で信頼性のありノイズまたは冗長ないウェブページまたはソーシャルネットワークサービスを識別する数十のインターネットアドレスで、最後のユーザに提供することが可能となる。インターネットアドレス３ｃ１は、発明者レオナルド・ダ・ヴィンチに示された、ＢＢＣのウェブページ、メトロポリタン博物館へのインターネットアドレス３ｂ１、および公知のイタリアのテレビ局ＲＡＩによる報告へのインターネットアドレス３ｃ１に言及する。
したがって、識別のスクリプトまたはプログラムは、第４の情報レイヤに属するウェブページだけに提案する、ユーザにより設定された検索条件と低い関連性をもつ複数のウェブページを放棄する。
【００６２】
クラシックタイプの検索に関し、インターフェース１０１は、第４の情報レイヤ、例えば、第２の情報のタイプ上より洗練されていない情報レイヤまたはリポジトリに関する識別のスクリプトまたはプログラムの実行を許容する。例えば、図２のボタン６１を選択することによって、識別のスクリプトまたはプログラムは、第２の情報レイヤに含まれているインターネットアドレスのリストを提供し、このようにしてまた人の有効ステップが実行されないウェブページのコンサルタントを可能にする。
【００６３】
さらに詳細には、選択ステップから得られる第３の情報レイヤあるいはリポジトリ、または、削除ステップから得られる第４の情報レイヤあるいはリポジトリが実質上なく、ある検索条件を備える結果がない場合には、分類の方法の補助的な実行を行うためにもそれは提供される。この場合、補助的な実行は、ウェブ検索エンジンの所定の設定にアクセスし、検索条件のための最も適切な結果をそのようなエンジンから引用することを提供するアルゴリズムに基づいている。
【００６４】
好ましくは、インターフェース１０１は、ハイパーテキストの形式で、セットされた検索条件に相関する、幅広い知識の情報を提供する外側部分４２も含む。例えば、検索条件「レオナルド・ダ・ヴィンチ」に関し、外側部分４２は、経歴、生命年表、時年表、レオナルドの古写真、およびレオナルドの文献を提供する。
【００６５】
好ましくは、本発明のウェブページの分類方法によれば、識別のスクリプトまたはプログラムは、適切な結果を提供することが可能となり、このようにノイズなしで、ユーザによる検索条件の設定のために、ウェブページの数と繰り返しおよびコンテンツのための信頼の点で冗長がなく、検索結果を絞りこむためのユーザにより使用される時間が大幅に減少する。
【００６６】
下記の説明からわかるように、本発明によるウェブページおよびソーシャルネットワークサービスの分類方法は、正確かつ適切で、検索条件に関連する冗長性と自由なノイズ情報がないだけでなく、大きな施設の使用のインターフェースも提供する。
【００６７】
図３を参照すると、ウェブページおよびソーシャルネットワークサービスの分類と対応するコンテンツの整理の実行のための開始ポイントとして、本発明の方法によって提供されるユーザインターフェース５０が図式化されている。
【００６８】
ユーザインターフェース５０は、検索条件を挿入するための検索ボックス５１と、方法の実行から得られるウェブページをリストするための検索結果ボックス５２と、検索条件に関連する追加の情報を含む複数の追加のボックス５３とを含む。
追加のボックス５３は、１または複数のソーシャルネットワークサービスはリスト化されたボックス５４と、検索条件、例えば第三者によって提供されるものに相関する議論のためのボックス５５と、ユーザのコメントを含むボックス５６とを含む。
【００６９】
さらに詳細には、第三者によって提供された議論は、本発明の方法により複雑に再整理され、ボックス５５の中にあるリンクのリストを戻す第三者により備えられている１または複数のデータベースから得られる実質的な複数の情報である。言い換えれば、ボックス５５のコンテンツは、ユーザによって設定された所定の検索条件に基づく検索結果である。
【００７０】
好ましくは、本発明の方法は、単一の統合されたユーザインターフェース５０への一つ以上の情報源からのデータを組み合わせたウェブ２．０マーカッシュ技術に基づいている。
【００７１】
実際には、本発明の方法による記録、選択、減少および有効のステップを通じて検出される結果は、ウェブだけでなく、ソーシャルネットワークと第三者のコンテンツを含む複数の情報源からなる。
【００７２】
ウェブページで実行するマーカッシュ技術、ソーシャルネットワークサービスおよびコンテンツは、これによって、そのようなウェブページ、ソーシャルネットワークサービスおよびコンテンツからの単一の情報源によって原始的に提供されない新しい区別されるツールを作る。
【００７３】
マーカッシュ技術で実行される周知のサービスに関し、これは大きい改善であることに注意する価値がある。実際には、周知のサービスは、単一のインターフェースのグループに提供し、異なる情報源からなる複数の情報からなる。それらは、そのような複数の情報を共通の検索条件に関連づけることに失敗する。
【００７４】
好ましくは、本発明は、第１に、検索ボックスの共通の検索条件に関連するコンテンツを検出し、次に、ユーザインターフェース５０の上述したボックス５２、５３、５４、５５のなかにあるそのようなコンテンツをグループに分ける。
【００７５】
図４を参照すると、検索条件「レオナルド・ダ・ヴィンチ」での方法の結果としてユーザインターフェース５０のさらなる詳細が示されている。
ユーザインターフェース５０の各ボックス５１−５４は、ユーザ、例えばドラッグによる修正のためにウィジェット(widget)技術で実行され、インターフェースの第１から第２の位置へおち、または、別のボックス、すなわちウェブページのボックスでの多くのリンクの数を表示するために第１のボックスのサイズを大きくしたり小さくしたりする。
【００７６】
また、１または複数のボックスは、オンまたはオフしてもよい。言い換えれば、ユーザインターフェース５０から取り除かれ、または挿入されてもよい。
好ましくは、ユーザは、準備されている結果の中から、興味のある情報のタイプ、例えばウェブページあるいは特定のソーシャルネットワークサービスのため、第三者によって提供されたコンテンツのため、または他のユーザのコメントのためのユーザインターフェース５０の大部分を保存すること、を選択するようにしてもよい。
【図１】
2010514026.tif 000003
【図１ａ】
2010514026.tif 000004
【図１ｂ】
2010514026.tif 000005
【図２】
2010514026.tif 000006
【図３】
2010514026.tif 000007
【図４】
2010514026.tif 000008
【国際調査報告】
2010514026.tif 000009
2010514026.tif 000010